(57)【特許請求の範囲】
【請求項１】
部品が搭載されるとともに、所定の領域に開口部が設けられることで枠状に形成されたベース部と、
前記ベース部としての枠の一辺上に、当該ベース部の外周に沿うように且つ互いが隣接して延伸するように、立設された少なくとも一対の補強リブと、
前記一対の補強リブを二箇所以上で連結する連結リブと、
を備え、
前記ベース部は、前記一対の補強リブ間に前記開口部よりも小形な貫通孔が設けられており、
前記貫通孔は、前記一対の補強リブと前記連結リブとにより囲まれるように設けられていることを特徴とするケース構造。
【請求項２】
前記連結リブは、当該連結リブで連結する前記一対の補強リブの延伸方向に対して直交する方向に延伸していることを特徴とする請求項１に記載のケース構造。
【請求項３】
前記一対の補強リブのそれぞれは、肉厚が前記ベース部よりも薄く形成されていることを特徴とする請求項１または２に記載のケース構造。
【請求項４】
前記連結リブは、肉厚が前記ベース部よりも薄く形成されていることを特徴とする請求項１から３の何れかに記載のケース構造。
【請求項５】
前記ベース部は、ほぼ四角形状の縦長形状に形成され、
前記一対の補強リブは、前記ベース部の長辺部と短辺部のそれぞれに設けられていることを特徴とする請求項１から４の何れかに記載のケース構造。
【請求項６】
前記ベース部と前記一対の補強リブとの境界部には、面取り部が形成されていることを特徴とする請求項１から５の何れかに記載のケース構造。
【請求項７】
表示デバイスまたは回路基板が搭載されるインナーケースを備え、
前記インナーケースは、
所定の領域に開口部が設けられることで枠状に形成されたベース部と、
前記ベース部としての枠の一辺上に、当該ベース部の外周に沿うように且つ互いが隣接して延伸するように、立設された少なくとも一対の補強リブと、
前記一対の補強リブを二箇所以上で連結する連結リブと、
を備え、
前記ベース部は、前記一対の補強リブ間に前記開口部よりも小形な貫通孔が設けられており、
前記貫通孔は、前記一対の補強リブと前記連結リブとにより囲まれるように設けられていることを特徴とする電子機器。
【請求項８】
前記一対の補強リブは、前記ベース部における前記表示デバイスが搭載される側の面とは反対側の面に設けられていることを特徴とする請求項７に記載の電子機器。
【発明の詳細な説明】
【技術分野】
【０００１】
この発明は、ケース構造及び電子機器に関する。
【背景技術】
【０００２】
例えば、携帯端末機においては、特許文献１に記載されているように、電池を収納するケース本体に電池蓋を開閉可能に取り付ける場合、電池蓋に設けられた軸受け部とケース本体に設けられた連結部とを軸によって同一軸上に連結することにより、電池蓋をケース本体に回転可能に取り付けるように構成されたものが知られている。
【先行技術文献】
【特許文献】
【０００３】
【特許文献１】特開２０１２−７９４８５号公報
【０００４】
このような携帯端末機では、電池蓋の肉厚を薄く形成し、かつ電池蓋の強度を高めるために、電池蓋の周縁部に補強リブを電池蓋の縁部に沿って形成している。この場合、ケース本体に対する電池蓋の取付強度を高めるために、特に電池蓋の軸受け部の近傍に補強リブを形成している。このような補強リブを設ける技術は、機器ケースやその内部に収納されるインナーケースなどにも、一般に応用されている。
【発明の概要】
【発明が解決しようとする課題】
【０００５】
しかしながら、このような携帯端末機では、電池蓋の更なる薄型化および軽量化を図るために、補強リブ自体の肉厚を薄く形成する必要があるが、単に補強リブ自体の肉厚を薄くすると、電池蓋の強度が低下し、十分な強度を確保することができないという問題がある。このような問題は、機器ケースやその内部に収納されるインナーケースなどにも、当然起こり得る問題である。
【０００６】
この発明が解決しようとする課題は、高い剛性を確保し、かつ大幅な軽量化を図ることができるケース構造及び電子機器を提供することである。
【課題を解決するための手段】
【０００７】
本発明に係るケース構造は、部品が搭載されるとともに、所定の領域に開口部が設けられることで枠状に形成されたベース部と、前記ベース部としての枠の一辺上に、当該ベース部の外周に沿うように且つ互いが隣接して延伸するように、立設された少なくとも一対の補強リブと、前記一対の補強リブを二箇所以上で連結する連結リブと、を備え、前記ベース部は、前記一対の補強リブ間に前記開口部よりも小形な貫通孔が設けられており、前記貫通孔は、前記一対の補強リブと前記連結リブとにより囲まれるように設けられていることを特徴とする。
また、本発明に係る電子機器は、表示デバイスまたは回路基板が搭載されるインナーケースを備え、前記インナーケースは、所定の領域に開口部が設けられることで枠状に形成されたベース部と、前記ベース部としての枠の一辺上に、当該ベース部の外周に沿うように且つ互いが隣接して延伸するように、立設された少なくとも一対の補強リブと、前記一対の補強リブを二箇所以上で連結する連結リブと、を備え、前記ベース部は、前記一対の補強リブ間に前記開口部よりも小形な貫通孔が設けられており、前記貫通孔は、前記一対の補強リブと前記連結リブとにより囲まれるように設けられていることを特徴とする。
【発明の効果】
【０００８】
この発明によれば、高い剛性を確保し、かつ大幅な軽量化を図ることができる。
【図面の簡単な説明】
【０００９】
【図１】この発明を携帯端末機に適用した第１実施形態を示した正面図である。
【図２】図１に示された携帯端末機を上下反転させて、機器ケースを分解した状態を示した斜視図である。
【図３】図２に示された携帯端末機のモジュールを示した正面図である。
【図４】図３に示されたモジュールのＡ−Ａ矢視における要部を示した拡大断面図である。
【図５】図３に示されたモジュールのインナーケースを示した平面図である。
【図６】図５に示されたインナーケースの裏面図である。
【図７】図５に示されたインナーケースのＢ−Ｂ矢視における要部を示した拡大断面図である。
【図８】この発明を携帯端末機に適用した第２実施形態におけるインナーケースを示した平面図である。
【図９】図８に示されたインナーケースの裏面図である。
【図１０】図８に示されたインナーケースのＣ−Ｃ矢視における要部を示した拡大断面図である。
【発明を実施するための形態】
【００１０】
（第１実施形態）
以下、図１〜図７を参照して、この発明を携帯端末機に適用した第１実施形態について説明する。
この携帯端末機は、図１および図２に示すように、前後方向（図１では上下方向）に長い長方形状の機器ケース１を備えている。この機器ケース１は、上部ケース２と下部ケース３とを有し、これらの内部にモジュール４が組み込まれるように構成されている。
【００１１】
上部ケース２は、図１および図２に示すように、上面が長方形のほぼ平板状に形成され、その外周の側面部が下部ケース３に取り付けられるように構成されている。この場合、上部ケース２の上面におけるほぼ上辺側半分には、表示窓部５が設けられており、そのほぼ下辺側半分には、キー入力部６が設けられている。
【００１２】
下部ケース３は、図２に示すように、その外周の側面部が底部（図２では上面）に向けて円弧状に湾曲して形成され、この側面部の上部に上部ケース２の側面部の下部が取り付けられるように構成されている。この下部ケース３の上辺部側には、後述する光学読取部７の読取窓部７ａが設けられている。
【００１３】
また、この下部ケース３の前後方向（図２では斜め左右方向）におけるほぼ中間部には、図２に示すように、外部接続部（図示せず）を開閉可能に塞ぐ接続蓋８が取り付けられている。この下部ケース３の下辺部側には、電池蓋９が着脱可能に取り付けられている。さらに、この下部ケース３の前後方向におけるほぼ中間部に位置する両側部には、スイッチ部１０がそれぞれ設けられている。
【００１４】
モジュール４は、図２〜図４に示すように、インナーケース１２を備え、このインナーケース１２に表示パネル１３および回路基板１４などの携帯端末機に必要な各種の部品が搭載されるように構成されている。表示パネル１３は、液晶表示パネルやＥＬ（エレクトロ・ルミネセンス）表示パネルのなどの平面型の表示パネルであり、携帯端末機に必要な各種の情報を電気光学的に表示するように構成されている。
【００１５】
すなわち、この表示パネル１３は、図２〜図４に示すように、上部ケース２の表示窓部５の下側に対応した状態で、インナーケース１２内に取付部材１１によって取り付けられ、表示された情報が表示窓部５を通して上部ケース２の上方から見えるように構成されている。この場合、取付部材１１は、ウレタン樹脂やシリコーン樹脂などの弾性を有する合成樹脂によって形成されている。
【００１６】
この取付部材１１は、図４に示すように、表示パネル１３の外周部にこれを弾力的に挟んだ状態で取り付けられるように構成されている。回路基板１４は、図２〜図４に示すように、光学読取部７などの携帯端末機に必要な各種の電子部品が設けられ、インナーケース１２の下面（図２では上面）のほぼ全域に亘って配置されるように構成されている。
【００１７】
この場合、光学読取部７は、図２に示すように、回路基板１４の下面（図２では上面）における上辺部側に配置され、レーザ光線を下部ケース３の読取窓部７ａから機器ケース１の外部に出射させ、この出射されたレーザ光線の反射光を受光することにより、物品のバーコードなどを読み取るように構成されている。
【００１８】
ところで、インナーケース１２は、図２〜図７に示すように、機器ケース１よりも１回り小さい長方形の板状に形成されたベース部１５と、このベース部１５の外周縁に上方に突出して設けられた側壁部１６と、を備え、これらが合成樹脂によって一体に形成された構成になっている。これにより、インナーケース１２は、ベース部１５と側壁部１６とで囲まれた領域内に表示パネル１３がその外周縁に取り付けられた取付部材１１を介して装着されるように構成されている。
【００１９】
この場合、ベース部１５には、図５および図６に示すように、複数の開口部１５ａと複数の小形孔１５ｂとが設けられている。複数の開口部１５ａは、ベース部１５の外周縁および各仕切部１５ｄを除いて、ベース部１５のほぼ全域に亘って設けられている。複数の小形孔１５ｂは、ベース部１５の外周縁における側壁部１６の近傍に点在して設けられている。これにより、インナーケース１２は、全体がほぼ枠状に形成されている。
【００２０】
このインナーケース１２のベース部１５の下面（図５では上面）には、図６および図７に示すように、ベース部１５の外周縁に沿って複数列の補強リブ１７が下側に突出している。これら複数列の補強リブ１７は、ベース部１５の外周縁のうち、下辺部を除く、３辺に沿ってそれぞれ２列ずつほぼ直線状に形成されている。
【００２１】
すなわち、ベース部１５の長手方向に沿う両側辺部に位置する複数列の補強リブ１７は、図６および図７に示すように、その間隔が狭く、互いに平行な状態で接近して形成されている。これにより、ベース部１５の長手方向に沿う両側辺部に位置する複数列の補強リブ１７は、ベース部１５がその長手方向に撓み変形するのを抑制するように構成されている。
【００２２】
また、ベース部１５の上辺部に位置する複数列の補強リブ１７は、図５に示すように、その間隔が複数の小形孔１５ｂよりも広く形成されている。これにより、ベース部１５の上辺部に位置する複数列の補強リブ１７は、ベース部１５の上辺部が撓み変形するのを抑制するように構成されている。
【００２３】
この場合、ベース部１５の長手方向に沿う両側辺部に位置する複数列の補強リブ１７と、ベース部１５の上辺部に位置する複数列の補強リブ１７とは、図６に示すように、ベース部１５の上辺部の両側に位置する各角部において連結されている。これにより、複数列の補強リブ１７は、ベース部１５の３辺に沿って連続した状態で形成されている。このため、ベース部１５は、その３辺に沿って連続した複数列の補強リブ１７によって、ベース部１５全体の捩れ変形が抑制されるように構成されている。
【００２４】
これら複数列の補強リブ１７それぞれは、図６および図７に示すように、その肉厚がベース部１５の肉厚よりも薄く形成されている。また、これら複数列の補強リブ１７とベース部１５との各境界部それぞれには、円弧状の面取り部１８が形成されている。これにより、複数列の補強リブ１７は、円弧状の面取り部１８によってベース部１5に対する強度が確保されるように構成されている。
【００２５】
ところで、これら複数列の補強リブ１７間には、図６に示すように、互いに対向する補強リブ１７同士を連結する複数の連結リブ２０が形成されている。すなわち、ベース部１５の長手方向に沿う両側辺部に位置する複数列の補強リブ１７間には、これらを連結する複数の連結リブ２０が、補強リブ１７に対して直交した状態で、ベース部１５の長手方向における所定間隔で形成されている。
【００２６】
また、ベース部１５の上辺部に位置する複数列の補強リブ１７間には、図６に示すように、互いに対向する補強リブ１７同士を連結する複数の連結リブ２０が、補強リブ１７に対して直交した状態で、複数の小形孔１５ｂの間隔でベース部１５の上辺部に沿って形成されている。
【００２７】
この場合、複数の連結リブ２０は、図６に示すように、ベース部１５の強度的に弱い個所、または負荷が加わり易い個所に集中して形成されていることが望ましい。これにより、複数の連結リブ２０は、複数列の補強リブ１７がベース部１５に対して傾かないように、複数列の補強リブ１７を補強するように構成されている。
【００２８】
また、これら複数の連結リブ２０は、補強リブ１７と同様、肉厚が薄く形成されている。このため、これら複数の連結リブ２０とベース部１５との各境界部、および複数の連結リブ２０と複数列の補強リブ１７との各境界部にも、補強リブ１７と同様、円弧状の面取り部（図示せず）が形成されている。これにより、複数の連結リブ２０も、円弧状の面取り部によって強度が確保されるように構成されている。
【００２９】
次に、このような携帯端末機を組み立てる場合について説明する。
まず、機器ケース１内に組み込まれるモジュール４を組み立てる。この場合には、インナーケース１２に表示パネル１３を取付部材１１によって取り付けると共に、回路基板１４を取り付ける。
【００３０】
このときには、表示パネル１３の外周部に取付部材１１を弾力的に挟み付けた状態で取り付け、この状態で表示パネル１３をインナーケース１２におけるベース部１５と側壁部１６とで囲まれた領域内に取付部材１１によって弾力的に装着する。また、このときには、回路基板１４に光学読取部７などの各種の部品を取り付け、この回路基板１４をインナーケース１２の下面、つまり複数列の補強リブ１７の下に配置して、ベース部１５にビス止めによって取り付ける。これにより、モジュール４が組み立てられる。
【００３１】
このモジュール４を下部ケース３内に組み込む際には、下部ケース３にスイッチ部１０を配置した状態で、下部ケース３内にモジュール４を組み込む。このときには、回路基板１４に設けられた光学読取部７を下部ケース３の読取窓部７ａに対応させて配置する。そして、下部ケース３に上部ケース２をねじ止めによって取り付ける。このときには、モジュール４の表示パネル１３を上部ケース２の表示窓部５に対応させ、キー入力部６を上部ケース２の下辺部側に対応させれば良い。これにより、携帯端末機が組み立てられる。
【００３２】
次に、このような携帯端末機の作用について説明する。
この携帯端末機が落下などによる衝撃を受けた際には、インナーケース１２によってモジュール４の表示パネル１３および回路基板１４が保護される。すなわち、表示パネル１３は弾力を有する取付部材１１によってインナーケース１２に取り付けられているので、機器ケース１が落下などの衝撃を受けても、その衝撃が取付部材１１によって緩衝される。
【００３３】
また、インナーケース１２は、そのベース部１５にその外周に沿って複数列の補強リブ１７が形成されていると共に、複数列の補強リブ１７間に複数の連結リブ２０が形成されていることにより、衝撃によってベース部１５全体が変形しないように、複数列の補強リブ１７によってベース部１５全体の変形が抑制される。すなわち、複数列の補強リブ１７のうち、ベース部１５の長手方向に沿う両側辺部に位置する複数列の補強リブ１７によって、ベース部１５がその長手方向に撓み変形しないように、ベース部１５の撓み変形が抑制される。
【００３４】
また、複数列の補強リブ１７のうち、ベース部１５の上辺部に位置する複数列の補強リブ１７によって、ベース部１５がその長手方向と直交する方向に撓み変形しないように、ベース部１５の撓み変形が抑制される。この場合、ベース部１５の上辺部の両側に位置する各角部において、複数列の補強リブ１７が連結されて形成されていることにより、これら複数列の補強リブ１７によってベース部１５全体の捩れ変形が抑制される。
【００３５】
さらに、複数列の補強リブ１７は、その各肉厚が薄く形成されていても、これら複数列の補強リブ１７間に複数の連結リブ２０が形成されていることにより、これら複数の連結リブ２０によって複数列の補強リブ１７がベース部１５に対して傾かないように補強されている。
【００３６】
このため、ベース部１５に複数の開口部１５ａおよび複数の小形孔１５ｂを設け、かつベース部１５の肉厚を薄く形成しても、複数列の補強リブ１７および複数の連結リブ２０によってベース部１５全体の強度を確保することができると共に、ベース部１５に設けられた複数の開口部１５ａおよび複数の小形孔１５ｂによって、インナーケース１２の重量を従来の半分程度の重量まで大幅に軽くすることができる。
【００３７】
これにより、この携帯端末機では、機器全体の軽量化を図ることができると共に、機器ケース１が落下などの衝撃を受けても、その衝撃によってインナーケース１２のベース部１５が変形することがなく、インナーケース１２に搭載されている表示パネル１３、回路基板１４、およびこの回路基板１４に組み付けられた光学読取部７などの各種の部品を良好に保護することができる。
【００３８】
このように、この携帯端末機のインナーケース１２によれば、表示パネル１３や回路基板１４などの部品を搭載するベース部１５と、このベース部１５にその外周に沿って形成された複数列の補強リブ１７と、これら複数列の補強リブ１７を連結する複数の連結リブ２０と、を備えていることにより、高い剛性を確保し、かつ大幅な軽量化を図ることができる。
【００３９】
すなわち、この携帯端末機のインナーケース１２では、複数列の補強リブ１７の肉厚を薄く形成しても、複数の連結リブ２０によって補強リブ１７の強度を確保することができると共に、これら複数列の補強リブ１７および複数の連結リブ２０によって、ベース部１５全体の強度を確保することができる。
【００４０】
このため、この携帯端末機のインナーケース１２では、ベース部１５の肉厚を薄く形成しても、またベース部１５に複数の開口部１５ａおよび複数の小形孔１５ｂを広い面積で形成しても、複数列の補強リブ１７および複数の連結リブ２０によって、ベース部１５の剛性を確保することができると共に、ベース部１５の大幅な軽量化を図ることができる。
【００４１】
この場合、インナーケース１２のベース部１５は、長方形のほぼ四角形状に形成され、複数列の補強リブ１７は、ベース部１５の長手方向に沿う両側辺部と上辺部との３辺部に沿って設けられていることにより、ベース部１５全体の撓み変形を抑制することができ、これによりベース部１５全体の剛性を高めることができる。
【００４２】
すなわち、ベース部１５の長手方向に沿う両側辺部に位置する複数列の補強リブ１７によって、ベース部１５の長手方向の撓み変形を抑制することができる。また、ベース部１５の上辺部に位置する複数列の補強リブ１７によって、ベース部１５の上辺部の撓み変形を抑制することができる。これらによって、ベース部１５全体の剛性を高めることができる。
【００４３】
さらに、このインナーケース１２では、ベース部１５の上辺部の両側に位置する各角部において、複数列の補強リブ１７が連結されて形成されていることにより、これら複数列の補強リブ１７によってベース部１５全体の捩れ変形を抑制することができる。これによっても、ベース部１５全体の剛性を高めることができる。
【００４４】
また、このインナーケース１２のベース部１５と複数列の補強リブ１７との各境界部には、円弧状の面取り部１８がそれぞれ形成されていることにより、複数列の補強リブ１７の肉厚を薄く形成しても、円弧状の面取り部１８によって複数列の補強リブ１７をベース部１５に強固に形成することができ、これによっても補強リブ１７の強度を確保することができる。
【００４５】
さらに、このインナーケース１２の複数の連結リブ２０は、複数列の補強リブ１７間に設けられていることにより、複数の連結リブ２０を省スペースで邪魔にならずに形成することができると共に、互いに対向する補強リブ１７同士を確実にかつ強固に連結することができる。これにより、互いに対向する補強リブ１７同士が接離方向に変形するのを確実に防ぐことができるので、複数列の補強リブ１７の肉厚を薄く形成しても、複数列の補強リブ１７の強度を十分に確保することができる。
【００４６】
また、この携帯端末機では、上部ケース２と下部ケース３とで構成された機器ケース１と、この機器ケース１内に組み込まれているインナーケース１２と、を備え、このインナーケース１２がモジュール４の表示パネル１３や回路基板１４などの部品を搭載するベース部１５を有していることにより、インナーケース１２のベース部１５によってモジュール４を確実にかつ良好に保護することができる。
【００４７】
すなわち、この携帯端末機では、機器ケース１が落下などの衝撃を受けても、その衝撃によってインナーケース１２のベース部１５が変形することがないので、インナーケース１２に搭載されているモジュール４を良好に保護することができると共に、インナーケース１２を軽量化することができるので、機器全体の軽量化を図ることができる。
【００４８】
（第２実施形態）
次に、図８〜図１０を参照して、この発明を携帯端末機に適用した第２実施形態について説明する。なお、図１〜図７に示された第１実施形態と同一部分には同一符号を付して説明する。
この携帯端末機は、図８〜図１０に示すように、インナーケース１２の補強リブ２５と一部の連結リブ２６とが第１実施形態と異なる構成であり、これ以外は第１実施形態とほぼ同じ構成になっている。
【００４９】
この場合、インナーケース１２は、第１実施形態と同様、機器ケース１よりも１回り小さい長方形の板状に形成されたベース部１５と、このベース部１５上にその外周縁に上方に突出して設けられた側壁部１６と、を備え、これらが合成樹脂によって一体に形成された構成になっている。
【００５０】
このベース部１５には、第１実施形態と同様、複数の小形孔１５ｂが設けられているほか、図８および図９に示すように、１つの大きな開口部１５ｃが設けられている。この開口部１５ｃは、ベース部１５の外周縁を除く、ほぼ全域に亘って形成されている。これにより、インナーケース１２は、全体がほぼ枠状に形成されている。
【００５１】
このインナーケース１２のベース部１５の下面（図９では上面）には、図９および図１０に示すように、ベース部１５の外周縁に沿って複数列の補強リブ２５が下側に突出している。これら複数列の補強リブ２５は、ベース部１５の外周縁の４辺に沿ってそれぞれ２列ずつほぼ直線状に形成されている。
【００５２】
すなわち、ベース部１５の長手方向に沿う両側辺部に位置する複数列の補強リブ２５は、図９および図１０に示すように、その間隔が狭く、互いに平行な状態で接近して形成されている。これにより、ベース部１５の長手方向に沿う両側辺部に位置する複数列の補強リブ２５は、ベース部１５がその長手方向に沿って撓み変形するのを抑制するように構成されている。この場合、複数列の補強リブ２５間に位置するベース部１５の個所には、図８および図１０に示すように、開口部２７が設けられている。
【００５３】
また、ベース部１５の上辺部に位置する複数列の補強リブ２５は、第１実施形態と同様、その間隔が複数の小形孔１５ｂよりも広く形成されている。これにより、ベース部１５の上辺部に位置する複数列の補強リブ２５は、ベース部１５の上辺部が撓み変形するのを抑制するように構成されている。
【００５４】
さらに、ベース部１５の下辺部に位置する複数列の補強リブ２５は、図９に示すように、ベース部１５の長手方向に沿う両側辺部に位置する複数列の補強リブ２５と同様、その間隔が狭く、互いに平行な状態で接近して形成されている。この場合、ベース部１５の下辺部における中間部には、中間補強リブ２８が補強リブ２５と平行に形成されている。これにより、ベース部１５の下辺部に位置する複数列の補強リブ２５および中間補強リブ２８は、ベース部１５の下辺部が撓み変形するのを抑制するように構成されている。
【００５５】
この場合、ベース部１５の外周における４辺に沿う複数列の補強リブ２５は、図９に示すように、ベース部１５の４隅に位置する各角部において連結されていると共に、これら４隅の各角部に形成された角部連結リブ２９に連結されている。これにより、複数列の補強リブ２５は、ベース部１５の全周に沿って連続した状態で形成され、ベース部１５全体の捩れ変形を抑制するように構成されている。
【００５６】
これら複数列の補強リブ２５および中間補強リブ２８は、第１実施形態と同様、その肉厚が薄く形成されている。また、これら複数列の補強リブ２５は、複数の連結リブ２０、２６、３０によって相互に連結されている。すなわち、これら複数列の補強リブ２５のうち、ベース部１５の長手方向に沿う両側辺部に位置する複数列の補強リブ２５間における一部には、第１実施形態と同様、互いに対向する補強リブ２５同士を連結する複数の連結リブ２０が、ベース部１５の長手方向に所定間隔で形成されている。
【００５７】
また、これら複数列の補強リブ２５の下端部間、つまりベース部１５と反対側に位置する複数列の補強リブ２５の下端部間には、図９および図１０に示すように、互いに接近する補強リブ２５の下端部同士を連結する連結リブ２６が、ベース部１５の開口部２７に対応した状態で、ベース部１５の長手方向に沿って形成されている。
【００５８】
また、ベース部１５の上辺部に位置する複数列の補強リブ２５間には、第１実施形態と同様、互いに対向する補強リブ２５同士を連結する複数の連結リブ２０が、複数の小形孔１５ｂの間隔で形成されている。さらに、ベース部１５の下辺部に位置する複数列の補強リブ２５間には、図９に示すように、互いに対向する補強リブ２５同士を連結する複数の連結リブ２０が、ベース部１５の下辺部に沿って所定間隔で形成されている。
【００５９】
この場合、ベース部１５の下辺部に位置する補強リブ２５と中間補強リブ２８との間、およびこの中間補強リブ２８の端部と補強リブ２５との間にも、図９に示すように、連結リブ３０が形成されている。これら複数の連結リブ２０、２６、３０は、補強リブ２５と同様、肉厚が薄く形成されている。これにより、複数の連結リブ２０、２６、３０は、複数列の補強リブ２５および中間補強リブ２８がベース部１５に対して傾かないように、複数列の補強リブ２５および中間補強リブ２８を補強するように構成されている。
【００６０】
次に、このような携帯端末機の作用について説明する。
この携帯端末機が落下などによる衝撃を受けた際には、第１実施形態と同様、インナーケース１２によって機器ケース１内に組み込まれたモジュール４の表示パネル１３および回路基板１４が保護される。この場合にも、インナーケース１２は、そのベース部１５にその外周縁に沿って複数列の補強リブ２５が形成されていることにより、衝撃によるベース部１５の変形が抑制される。
【００６１】
すなわち、複数列の補強リブ２５のうち、ベース部１５の長手方向に沿う両側辺部に位置する複数列の補強リブ２５によって、ベース部１５が長手方向に撓み変形しないように、ベース部１５の撓み変形が抑制される。また、ベース部１５の上辺部に位置する複数列の補強リブ２５およびベース部１５の下辺部に位置する複数列の補強リブ２５、中間補強リブ２８によって、ベース部１５がその長手方向と直交する方向に撓み変形しないように、ベース部１５の撓み変形が抑制される。
【００６２】
また、これら複数列の補強リブ２５は、ベース部１５の４隅に位置する各角部連結リブ２９によってベース部１５の外周縁に沿って連続して形成されていることにより、第１実施形態よりも、ベース部１５全体の捩れ変形が抑制される。この場合、複数列の補強リブ２５および中間補強リブ２８は、その各肉厚が薄く形成されていても、これら複数列の補強リブ２５および中間補強リブ２８に複数の連結リブ２０、２６、３０が連結形成されていることにより、第１実施形態よりも、複数列の補強リブ２５および中間補強リブ２８がベース部１５に対して傾かないように、強固に補強されている。
【００６３】
このため、ベース部１５に複数の小形孔１５ｂおよび１つの大きな開口部１５ｃを広い面積で設け、かつベース部１５の肉厚を薄く形成しても、複数列の補強リブ２５、中間補強リブ２８、および複数の連結リブ２０、２６、３０によって、ベース部１５全体の強度を確保することができると共に、ベース部１５に設けられた複数の小形孔１５ｂおよび１つの大きな開口部１５ｃによって、インナーケース１２の重量を大幅に軽くすることができる。
【００６４】
これにより、この携帯端末機では、第１実施形態と同様、機器全体の軽量化を図ることができると共に、機器ケース１が落下などの衝撃を受けても、その衝撃によってインナーケース１２のベース部１５が変形することがないので、インナーケース１２に搭載されている表示パネル１３、回路基板１４、およびこの回路基板１４に組み付けられた光学読取部７を良好に保護することができる。
【００６５】
このように、この携帯端末機のインナーケース１２によれば、表示パネル１３や回路基板１４などの部品を搭載するベース部１５と、このベース部１５にその外周に沿って形成された複数列の補強リブ２５と、これら複数列の補強リブ２５を連結する複数の連結リブ２０、２６と、を備えていることにより、第１実施形態と同様、高い剛性を確保することができると共に、大幅な軽量化を図ることができる。
【００６６】
すなわち、この携帯端末機のインナーケース１２では、複数列の補強リブ２５の肉厚を薄く形成しても、複数の連結リブ２０、２６によって補強リブ２５の強度を確保することができると共に、これら複数列の補強リブ２５および複数の連結リブ２０、２６によって、ベース部１５全体の強度を第１実施形態よりも高めることができる。
【００６７】
このため、この携帯端末機のインナーケース１２では、ベース部１５の肉厚を薄く形成しても、またベース部１５に複数の小形孔１５ｂおよび１つの大きな開口部１５ｃを広い面積で形成しても、複数列の補強リブ２５および複数の連結リブ２０、２６によって、第１実施形態よりも、ベース部１５全体の剛性を高めることができると共に、ベース部１５の大幅な軽量化を図ることができる。
【００６８】
この場合、インナーケース１２のベース部１５は、第１実施形態と同様、長方形のほぼ四角形状に形成され、複数列の補強リブ２５は、ベース部１５の４辺に沿って形成されていると共に、ベース部１５の４隅の各角部連結リブ２９によって連結された状態で、ベース部１５の全周に沿って連続して形成されていることにより、ベース部１５全体の撓み変形や捩れ変形などの各種変形を確実に抑制することができるので、第１実施形態よりも、ベース部１５全体の強度を十分に高めることができる。
【００６９】
また、複数列の補強リブ２５は、複数の連結リブ２０、２６によって連結されていることにより、複数列の補強リブ２５の各肉厚が薄く形成されていても、第１実施形態と同様、複数の連結リブ２０、２６によって複数列の補強リブ２５を強固に補強することができ、これによってもベース部１５全体の強度を高めることができる。
【００７０】
この場合、複数列の補強リブ２５のうち、ベース部１５の長手方向に沿う両側辺部に位置する複数列の補強リブ２５は、第１実施形態と同様、複数の連結リブ２０が複数列の補強リブ２５間に形成されているほか、複数の連結リブ２６がベース部１５と反対側に位置する複数列の補強リブ２５の端部間に形成されているので、複数列の補強リブ２５間に位置するベース部１５の個所に開口部２７が形成されていても、第１実施形態よりも、複数列の補強リブ２５を強固に補強することができ、ベース部１５全体の強度を十分に高めることができる。
【００７１】
また、複数列の補強リブ２５のうち、ベース部１５の上辺部と下辺部とに位置する複数列の補強リブ２５は、第１実施形態と同様、複数の連結リブ２０によって連結されているほか、ベース部１５の下辺部に位置する中間補強リブ２８と補強リブ２５とが、複数の連結リブ３０によって連結されていることにより、第１実施形態よりも、ベース部１５の下辺部側の強度を高めることができる。
【００７２】
このため、このインナーケース１２においても、ベース部１５に複数の小形孔１５ｂおよび１つの大きな開口部１５ｃを広い面積で設けても、またベース部１５の肉厚を薄く形成しても、複数列の補強リブ２５、中間補強部２８、および複数の連結リブ２０、２６、３０によって、ベース部１５全体の強度を十分に高めることができると共に、ベース部１５に設けられた複数の小形孔１５ｂおよび１つの大きな開口部１５ｃによって、インナーケース１２の重量を大幅に軽くすることができる。
【００７３】
なお、上述した実施形態では、機器ケース１内に組み込まれるインナーケース１２に適用した場合について説明したが、必ずしもインナーケース１２である必要はなく、例えば機器ケース１の上部ケース２、または下部ケース３、あるいは電池蓋９などにも適用することができる。
【００７４】
また、上述した実施形態では、携帯端末機に適用した場合について述べたが、必ずしも携帯端末である必要はなく、例えば携帯電話機や携帯型の情報処理装置などの各種の電子機器に広く適用することができる。
【００７５】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００７６】
（付記）
請求項１に記載の発明は、部品を搭載するベース部と、このベース部にその外周に沿って形成された複数列の補強リブと、これら複数列の補強リブを連結する連結リブと、を備えていることを特徴とするケース構造である。
【００７７】
請求項２に記載の発明は、請求項１に記載のケース構造において、前記ベース部はほぼ四角形状に形成され、前記複数列の補強リブは前記ベース部の複数の辺部に沿ってそれぞれ形成されていることを特徴とするケース構造である。
【００７８】
請求項３に記載の発明は、請求項１または請求項２に記載のケース構造において、前記複数列の補強リブは、前記ベース部の各角部で連結されていることを特徴とするケース構造である。
【００７９】
請求項４に記載の発明は、請求項１〜請求項３のいずれかに記載のケース構造において、前記ベース部と前記複数列の補強リブとの各境界部には、面取り部が形成されていることを特徴とするケース構造である。
【００８０】
請求項５に記載の発明は、請求項１〜請求項４のいずれかに記載のケース構造において、前記連結リブは、前記複数列の補強リブ間に設けられていることを特徴とするケース構造である。
【００８１】
請求項６に記載の発明は、請求項１〜請求項５のいずれかに記載のケース構造において、前記連結リブは、前記複数列の補強リブにおける前記ベース部と反対側に位置する端部間に設けられていることを特徴とするケース構造である。
【００８２】
請求項７に記載の発明は、請求項１〜請求項６のいずれかに記載のケース構造を備えていることを特徴とする電子機器である。
【００８３】
請求項８に記載の発明は、請求項７に記載の電子機器において、上部ケースと下部ケースとで構成された機器ケースと、この機器ケース内に組み込まれているインナーケースと、を備え、このインナーケースは前記部品を搭載する前記ベース部を有していることを特徴とする電子機器である。
【００８４】
請求項９に記載の発明は、少なくとも外縁の一部が直線状に形成された開口部が設けられたベース部と、前記直線状に形成された外縁に平行に沿うように前記ベース部に形成された複数列の補強リブと、前記複数列の補強リブのうち、隣接する２列の補強リブを部分的に連結する連結リブと、を備え、前記連結リブは、前記直線状に形成された外縁に対して垂直な方向に延伸するように設けられていることを特徴とする携帯機器のインナーケース構造である。
【符号の説明】
【００８５】
１  機器ケース
２  上部ケース
３  下部ケース
４  モジュール
１２  インナーケース
１３  表示パネル
１４  回路基板
１５  ベース部
１５ａ、１５ｃ  開口部
１５ｂ  小形孔
１７、２５  補強リブ
１８  面取り部
２０、２６、３０  連結リブ
【図１】
0006428056.tif 000002
【図２】
0006428056.tif 000003
【図３】
0006428056.tif 000004
【図４】
0006428056.tif 000005
【図５】
0006428056.tif 000006
【図６】
0006428056.tif 000007
【図７】
0006428056.tif 000008
【図８】
0006428056.tif 000009
【図９】
0006428056.tif 000010
【図１０】
0006428056.tif 000011